(57)【要約】      （修正有）【課題】ホースの太さに関係なく接続が容易で、また不使用時における収納性に優れた簡易軟水器を提供する。【解決手段】巾着袋１の側面を防水性の材料で形成するとともに、底面を透水性のある材料のシート３で形成する。この巾着袋１の内部にイオン交換樹脂６を入れて上から漏れ出さないように透水性のある材料のシート７で覆う。巾着袋１の開口部４は開閉自在に形成する。巾着袋１の開口部４に蛇口やホース、又はシャワーヘッドを入れて巾着袋の紐体５を引っ張って締め、その紐体５を蛇口やシャワーヘッド用フックに掛けて水を流すと、巾着袋の下部より軟水が出てくる。また、吊り下げができない場所においては、蛇口の下に巾着袋の開口部を大きく開いた状態で置き、蛇口から水を流せば巾着袋の下部より軟水が出てくる。【選択図】図１
0003141749.tif 000002
【実用新案登録請求の範囲】
【請求項１】
巾着袋の側面を防水性の材料で形成し、底面は透水性のある材料で形成するとともに、袋の内部にイオン交換樹脂を充填することによって軟水が取水されることを特徴とする簡易軟水器。
【請求項２】
巾着袋の開閉自在な開口部が水の流入経路となり、その開口部より給水することによって底面から軟水を取水することを特徴とする請求項１に記載の簡易軟水器。
【請求項３】
蛇口やホースを直接接続することなく、自立できる巾着袋の開口部を大きく開いた状態で、その開口部の離れた上部から給水することを特徴とする請求項１または請求項２に記載の簡易軟水器。
【考案の詳細な説明】
【技術分野】
【０００１】
本考案は軟水をどこでも簡単に製造することができ、しかも、使用しないときには、折りたたむことによってコンパクトになり、持ち運びに便利で、場所を取らずに収納しておくことができる簡易軟水器に関する。
【背景技術】
【０００２】
軟水器に水を給水するためには、当然水道との配管、すなわち蛇口からホースをつなぐか、あるいは蛇口の分岐栓から軟水器に接続する必要がある。
分岐栓からの接続は、蛇口のメーカーにより口径やネジのピッチが多種多様であり、どのアダプターを使って接続すればよいかわからない状況にある。また、蛇口からホースをつなぐ場合は、蛇口の太さが多種あり、ましてや最近ではデザインを優先して四角い蛇口もある。それらの蛇口にホースをつなぐことは、到底不可能である。
また、旅行先で使用するとなると、どのような蛇口か不明なので、とても使用できる状況ではなかった。
従来の簡易軟水器として、実開昭５４−１７１６６１に記載されたイオン交換樹脂用簡易装填容器がある。これは、内袋にイオン交換樹脂を密封し、この内袋を小穴を開けた外袋に入れてその外袋の上端開口部を絞って蛇口と接続して使用する。これなら、蛇口の大きさや形状に関係なく使用できる。
【特許文献１】実開昭５４−１７１６６１号公報
【考案の開示】
【考案が解決しようとする課題】
【０００３】
ところが、前者のイオン交換樹脂用簡易装填容器は、上端開口部を針金で縛るため、容易に脱着することができなかった。また、使用状態の図からは、イオン交換樹脂の重量に水の重量が加算されて重たくなり、蛇口から外れる可能性があった。
そして、最大の問題は内袋と外袋が完全に密着していないと、その隙間から流れた水は軟水にならないことであった。また、仮に完全に密着したとしても一部にイオン交換樹脂層が薄い層がある場合、その層を通過した水は硬度漏れが生じ軟水にならないことであった。
そこで、本考案は、上述の課題を解消すべく案出されたもので、袋体の開口部を簡単な操作で開閉自在として、ホースの太さや形状に関係なく、簡単にどこでも給水可能を実現するとともに、内袋と外袋を一体化して硬度漏れを生じない構造にするとともに、使用しないときは折りたたんでコンパクトに収納可能な簡易軟水器を提供することを目的とする。
【課題を解決するための手段】
【０００４】
この目的を達成するための手段として本考案は、次のような構成を採用する。
袋体は巾着袋で形成する。巾着袋の側面は防水性の材料で形成し、底面は透水性のある材料で形成するとともに、巾着袋の内部にイオン交換樹脂を充填し、イオン交換樹脂の上部に漏れ出さないように透水性のある材料で密封する。巾着袋の開口部に蛇口やホースを突っ込んで、開口部に設けられたひもを引っ張って締め、そのひもを蛇口に結ぶか、シャワーフック等に掛け、蛇口やホースから給水することによって底面から軟水を取水することを特徴とする。
【０００５】
本考案に係わる簡易軟水器の請求項１に対応する構成は、巾着袋の側面を防水性の材料で形成し、底面は透水性のある材料で形成するとともに、袋の内部にイオン交換樹脂を充填することによって軟水が取水されることを特徴とする。
【０００６】
この構成によれば、内袋や外袋がなくなり１枚の袋となるので内袋と外袋の隙間がなくなる。また、底面がまちのある巾着袋を使用すればイオン交換樹脂層も一定の厚みの層にできるので軟水が安定して供給できる。
【０００７】
本考案に係わる簡易軟水器の請求項２に対応する構成は、巾着袋の開閉自在な開口部が水の流入経路となり、その開口部より給水することによって底面から軟水を取水することを特徴とする。
【０００８】
この構成によれば、巾着袋の開閉自在な開口部が水の流入経路となり、蛇口やホースを開口部に入れて、開口部に設けられた両ひもをひっぱり、更にそのひもをフック等にかけることによって、簡易軟水器の自重や水の重量が加わり開口部が更に強く閉まり、開口部に入れたホースやシャワーヘッドが外れるのを防ぐことができる。
また、ホースの太さや蛇口の口径、あるいは接続部のネジピッチの違いに関係なく、水を給水することが可能となる。
そして、吊り下げることによって、簡易軟水器の底から取水される軟水を洗面器で受ければ顔を洗うこともできるし、簡易軟水器をバスタブの蛇口に取り付ければ、バスタブに軟水でお湯を張ることも可能になる。
【０００９】
本考案に係わる簡易軟水器の請求項３に対応する構成は、蛇口やホースを直接接続することなく、自立できる巾着袋の開口部を大きく開いた状態で、その開口部の離れた上部から給水することを特徴とする。
【００１０】
この構成によれば、吊り下げ不可能な状態に於いても、床等の上に洗面器を置いてその中にこの簡易軟水器を置くことにより、どこでも軟水を取水することができる。
【考案の効果】
【００１１】
本考案による簡易軟水器は、給水に於いてホースとの接続は非常に簡単で太さやネジ径に関係なく取付できるので、自宅で簡単に軟水を体験できるのはもちろん、旅行先でもどんな場所であっても簡単に軟水を製造することができる効果がある。また、巾着袋を使用することによって折りたたむことも可能なので、持ち運びにも大変優れている。 
【考案を実施するための最良の形態】
【００１２】
以下、図面を引用しながら本考案の実施の形態を説明する。
【００１３】
本考案による簡易軟水器１は、巾着袋で側面の材質２は、水を通さない防水性の材質、例えば、ポリエチレンやポリプロピレン、または不織布にラミネート加工を施したものを使用する。また、底面３は、イオン交換樹脂を漏れることなく、水を通す透水性の材質、例えば、不織布やメッシュフィルターを使用する。
【００１４】
巾着袋１の開口部４は、開閉自在に形成しており、開口部４に紐体５を設けている。
【００１５】
巾着袋１の内部に充填するイオン交換樹脂６は、最低でも３センチメートル以上の厚さの層として、上部７には漏れ出さないように、透水性の材質、例えば、不織布やメッシュフィルターで袋体１の側面と融着する。
【実施例】
【００１６】
実施例として図５に示すように、浴室の混合栓の蛇口を開口部４に入れて紐体５を両側より引いて締め、その締めた紐体５を蛇口に結んで固定する。蛇口を開くと底面３より軟水が取水される。
【００１７】
他の実施例として図６に示すように、浴室のシャワーヘッドを開口部４に入れて紐体５を両側より引いて締め、その締めた紐体５をシャワーヘッドのフックに掛けて固定する。シャワーの蛇口を開くと底面３より軟水が取水される。
【００１８】
他の実施例として図７に示すように、浴室のバスタブに設けられた蛇口を開口部４に入れて紐体５を両側より引いて締め、その締めた紐体５を蛇口に結んで固定する。蛇口を開くと底面３より軟水が取水されて浴槽にお湯を張れる。
【００１９】
他の実施例として図８に示すように、開口部４を開いた状態で洗面器の中に入れて、蛇口の真下に設置する。蛇口を開くと底面３より洗面器の中に軟水が取水される。
【産業上の利用可能性】
【００２０】
本考案は、簡易軟水器に関し、軟水をどこでも簡単に製造することができ、しかも、使用しないときには、折りたたむことによってコンパクトになり、持ち運びに便利で、場所を取らずに収納しておくことができるものであり、産業上利用することができる。
【図面の簡単な説明】
【００２１】
【図１】本考案の実施例を示す正面図。
【図２】本考案の一部を切り欠いた正面図。
【図３】本考案の実施例を示す側面図。
【図４】本考案の実施例を示す底面図。
【図５】本考案の使用例を示す斜視図。
【図６】本考案の使用例を示す斜視図。
【図７】本考案の使用例を示す斜視図。
【図８】本考案の使用例を示す斜視図。
【符号の説明】
【００２２】
１ 袋体
２ 袋体の側面
３ 袋体の底面
４ 開口部
５ 紐体
６ イオン交換樹脂
７ 透水性の材質
【図１】
0003141749.tif 000003
【図２】
0003141749.tif 000004
【図３】
0003141749.tif 000005
【図４】
0003141749.tif 000006
【図５】
0003141749.tif 000007
【図６】
0003141749.tif 000008
【図７】
0003141749.tif 000009
【図８】
0003141749.tif 000010